(57)【要約】      （修正有）【課題】操作が極めて容易で両面使用できる伝言表示板を提供する。【解決手段】中央に芯用穴部を有し表示部３４を表面側及び裏面側にそれぞれ複数個円周上に配置したドーナツ状の回転シート３と、回転シート３の表面側に同心円状に重ねてあり表面側窓部２５を有する円盤状の表面側表示シート２とを備える。さらに、回転シート３の裏面側に同心円状に重ねてあり裏面側窓部を有する円盤状の裏面側表示シート４と、芯用穴部の中に配置し表面側表示シート２と裏面側表示シート４との間に挟んで固着してあり厚みが回転シート３の厚みよりも厚く直径が芯用穴部の直径より小さい円柱形のマグネット芯部５とを有する。【選択図】図１
0003180188.tif 000002
【実用新案登録請求の範囲】
【請求項１】
中央に芯用穴部を有し文字又は絵を含む表示部を表面側及び裏面側にそれぞれ複数個円周上に配置したドーナツ状の回転シートを有し、
前記回転シートの表面側には前記回転シートと同心円状に重ねてあり前記回転シートの表面側の前記表示部を視認させるための窓部を有する円盤状の表面側表示シートを有し、
前記回転シートの裏面側には前記回転シートと同心円状に重ねてあり前記回転シートの裏面側の前記表示部を視認させるための窓部を有する円盤状の裏面側表示シートを有し、
前記芯用穴部の中に配置し前記表面側表示シートと前記裏面側表示シートとの間に挟んで固着してあり厚みが前記回転シートの厚みよりも厚く直径が前記芯用穴部の直径より小さい円柱形のマグネット芯部を有し、
前記マグネット芯部が、前記表面側表示シートと前記裏面側表示シートと該マグネット芯部と一体として接続するものであり、
前記回転シートは、前記表面側表示シートと前記裏面側表示シートに対し前記マグネット芯部を中心として回転自在であることを特徴とする伝言表示板。
【請求項２】
前記マグネット芯部がネオジウム磁石を含むことを特徴とする請求項１に記載の伝言表示板。
【請求項３】
前記回転シートが、前記表面側表示シートと前記裏面側表示シートより厚みがあるプラスチック板であることを特徴とする請求項１又は請求項２に記載の伝言表示板。
【請求項４】
前記表示部が、行先又は用事又は戻り時刻の記載であることを特徴とする請求項１から請求項３のいずれかに記載の伝言表示板。
【考案の詳細な説明】
【技術分野】
【０００１】
本考案は、伝言表示板に関し、例えば冷蔵庫やスチール棚などに張り付けて使用することに適する伝言表示板に関する。
【背景技術】
【０００２】
従来、他人へ所在等を伝えるのに、家庭では伝言ボードにメッセージを書き込んだり冷蔵庫等にメモを貼り付けたりあるいは着脱可能な磁石性シートを利用する等しており、また、職場では、各人の所在一覧を記入した磁石付ホワイトボードをスチール棚に取り付ける方法などが用いられてきた（例えば、特許文献１参照）。
【先行技術文献】
【特許文献】
【０００３】
【特許文献１】特許３６４９６０５号公報
【考案の概要】
【考案が解決しようとする課題】
【０００４】
しかし、特許文献１に記載された表示機構等の従来の伝言表示板では、紙やマグネットシートの古いメモシートを捨てて新しいメモシートと交換する必要があったり、ホワイトボードの古い記載を消して新しく記入するなどの操作が煩わしい、また両面が使えないという問題がある。
【０００５】
そこで、本考案は、操作が極めて容易で両面使用できる伝言表示板を提供することを目的とする。
【課題を解決するための手段】
【０００６】
本考案の第１の態様は、中央に芯用穴部を有し文字又は絵を含む表示部を表面側及び裏面側にそれぞれ複数個円周上に配置したドーナツ状の回転シートを有し、
前記回転シートの表面側には前記回転シートと同心円状に重ねてあり前記回転シートの表面側の前記表示部を視認させるための窓部を有する円盤状の表面側表示シートを有し、
前記回転シートの裏面側には前記回転シートと同心円状に重ねてあり前記回転シートの裏面側の前記表示部を視認させるための窓部を有する円盤状の裏面側表示シートを有し、
前記芯用穴部の中に配置し前記表面側表示シートと前記裏面側表示シートとの間に挟んで固着してあり厚みが前記回転シートの厚みよりも厚く直径が前記芯用穴部の直径より小さい円柱形のマグネット芯部を有し、
前記マグネット芯部が、前記表面側表示シートと前記裏面側表示シートと該マグネット芯部と一体として接続するものであり、
前記回転シートは、前記表面側表示シートと前記裏面側表示シートに対し前記マグネット芯部を中心として回転自在であることを特徴とする伝言表示板を提供する。
【０００７】
前記マグネット芯部がネオジウム磁石を含むことが好ましい。また、前記回転シートが、前記表面側表示シートと前記裏面側表示シートより厚みがあるプラスチック板であることが好ましい。
【０００８】
また、前記表示部が、行先又は用事又は戻り時刻の記載であることが好ましい。
【考案の効果】
【０００９】
本考案の伝言表示板は上述したように構成されており、本考案の伝言表示板によれば、操作が極めて容易で両面使用できる。
【図面の簡単な説明】
【００１０】
【図１】本考案の実施例１の伝言表示板の全体構成を示す（ａ）平面図及び（ｂ）正面図である。
【図２】本考案の実施例１の伝言表示板の回転シートの平面図である。
【図３】本考案の実施例１の伝言表示板の表面側表示シートの（ａ）平面図及び（ｂ）正面図である。
【図４】本考案の実施例１の伝言表示板の裏面側表示シートの（ａ）裏面図及び（ｂ）正面図である。
【図５】本考案の実施例１の伝言表示板のマグネット芯部の（ａ）平面図及び（ｂ）正面図である。
【図６】本考案の実施例１の伝言表示板を冷蔵庫の扉面に磁力で張り付けた状態の説明図である。
【図７】本考案の実施例１の伝言表示板のＡ-Ａ´線断面図を示す図である。
【図８】本考案の実施例１の伝言表示板のＡ-Ａ´線断面の中央部分の拡大図である。
【図９】本考案の実施例１の伝言表示板の組立構成図である。
【考案を実施するための形態】
【００１１】
以下、本考案の伝言表示板の一実施形態について、図面を参照し実施例を用いて具体的に説明するが、本考案はこれらに限定されるものではない。
【００１２】
（実施例１）
図１は、本考案の実施例１の伝言表示板の全体構成を示す（ａ）平面図及び（ｂ）正面図である。本実施例１の伝言表示板１は、ドーナツ状の回転シート３と、回転シート３の表面側に同心円状に重ねてあり表面側窓部２５を有する円盤状の表面側表示シート２と、回転シート３の裏面側に同心円状に重ねてあり裏面側窓部４５を有する円盤状の裏面側表示シート４と、表面側表示シート２と裏面側表示シート４との間に挟んで固着してあるマグネット芯部５を有する。
【００１３】
図２は、本考案の実施例１の伝言表示板の回転シートの平面図である。回転シート３は、中央に芯用穴部３３を有し表面側に表示部３４を有し、裏面側にも表示部３４を有するドーナツ状のシートである。表示部３４は、表面側又は裏面側にある文字又は絵を含む部分で、本実施例では、表面側には、行先や用事、すなわち、「在籍」、「会議中」、「休暇」、「私用」、「社内」、「取引先Ａ」、「取引先Ｂ」、「取引先Ｃ」の８つの表示部３４を有する。本実施例では、回転シート３の表面側を半径方向に８分割して、それぞれ半径方向に平行に表示部３４を有する。回転シート３の裏面側には、戻り時刻等、すなわち、「直行」、「直帰」、「午前10時戻り」、「昼すぎ戻り」、「午後3時戻り」、「午後5時戻り」の６つの表示部３４を有するが、図示は省略している。本実施例では、回転シート３の裏面側を半径方向に６分割して、それぞれ半径方向に平行に表示部３４を有する。ひとつの伝言表示板で、その表面側、裏面側を用途に応じて使い分けることができる。
【００１４】
回転シート３の表示部３４では文字や背景カラーなどがオフセット印刷してあるが、手書きを含め他の方法による印字等でもよい。表面側表示シート２の表面側、裏面側表示シート４の裏面側も同様である。
【００１５】
図３は、本考案の実施例１の伝言表示板の表面側表示シートの（ａ）平面図及び（ｂ）正面図である。表面側表示シート２は、貫通した表面側窓部２５を有するものであり、表面側窓部２５は、回転シート３の表面側の表示部３４を視認させるための穴である。本実施例では、表面側窓部２５は、円周を８分割して中央部分を除いた扇形の穴であり、表面側表示シート２に対して回転シート３を回転させることにより、図１のように、回転シート３の表面側の一部であって表面側窓部２５の円周上にある任意の部分の表示部３４を表面側窓部２５から表示させることができる。表面側表示シート２は、表面側に、「行先」の文字を印字してある（図示省略）が、これに限らず、イラストや他の文字等が印刷してあってもよいし、無模様でもよい。
【００１６】
図４は、本考案の実施例１の伝言表示板の裏面側表示シートの（ａ）裏面図及び（ｂ）正面図である。裏面側表示シート４は、貫通した裏面側窓部４５を有するものであり、裏面側窓部４５は、回転シート３の裏面側の表示部３４（図示省略）を視認させるための穴である。裏面側表示シート４の裏面側が伝言表示板１全体の裏面側となる。本実施例では、裏面側窓部４５は、円周を６分割して中央部分を除いた扇形の穴であり、裏面側表示シート４に対して回転シート３を回転させることにより、図１のように、回転シート３の裏面側の一部であって裏面側窓部４５の円周上にある任意の部分の表示部３４を裏面側窓部４５から表示させることができる。裏面側表示シート４は、裏面側に、「戻り時刻」の文字を印字してある（図示省略）が、これに限らず、イラストや他の文字等が印刷してあってもよいし、無模様でもよい。
【００１７】
図５は、本考案の実施例１の伝言表示板のマグネット芯部の（ａ）平面図及び（ｂ）正面図である。マグネット芯部５は、回転シート３の芯用穴部３３の中に配置してある。マグネット芯部５は、厚みが回転シート３の厚みよりも厚く直径が回転シート３の芯用穴部３３の直径より小さく芯用穴部３３の中で回転自在な円柱形の部品である。
【００１８】
図６は、本考案の実施例１の伝言表示板を冷蔵庫の扉面に磁力で張り付けた状態の説明図である。マグネット芯部５は、表面側表示シート２と裏面側表示シート４とをマグネット芯部５と一体として接続するものであり、回転シート３は、表面側表示シート２と裏面側表示シート４に対しマグネット芯部５を中心として回転自在である。図６では、伝言表示板１を横から見た状態を示すため、伝言表示板１を貼り付けてある扉は縦断面で示してある。磁力で扉面に張り付いており、見やすい位置に張り付けることができる。マグネット芯部５は、本実施例においては、ネオジウム磁石であるが、他の磁石でもよいし、一部に磁石を含んでいるものでも、表面側表示シート２や裏面側表示シート４が間にあってもスチール棚や冷蔵庫等に伝言表示板１を貼り付ける磁力があればよい。
【００１９】
図７は、本考案の実施例１の伝言表示板のＡ-Ａ´線断面図を示す図である。マグネット芯部５は、回転シート３の厚みよりわずかに厚く、したがって、スチール机や冷蔵庫などに伝言表示板１を貼り付けた状態のままでも回転シート３の周縁部を手指で容易に回転させることができる。したがって操作が極めて簡単にできる。本実施例によれば、回転させるためのハトメやねじなどがいらないため、表面側、裏面側ともでっぱりがなく、凸凹しない。重ねて保管する際などには嵩張ったりずれたりするおそれがない。また、引っかかってけがをすることがないので安全性が高い。
【００２０】
図８は、本考案の実施例１の伝言表示板のＡ-Ａ´線断面の中央部分の拡大図である。マグネット芯部５の直径は、回転シート３の芯用穴部３３より小さいため、断面図において、マグネット芯部５と芯用穴部３３の隙間から奥の回転シート３が見える。
【００２１】
図９は、本考案の実施例１の伝言表示板の組立構成図である。図９は紙面手前側が伝言表示板１の裏面側であり、裏面側窓部４５や表面側窓部２５、回転シート３及び裏面側表示シート４の裏面側の文字や模様は省略してある。本実施例においては、回転シート３、表面側表示シート２、裏面側表示シート４はいずれもＰＥＴ（ポリエチレンテレフタレート）シートであるが、塩化ビニルシートや他の熱可塑性樹脂でもよい。あるいはその他の樹脂シート、ガラスシート、金属シート、高分子被膜紙でもよい。そのほか、高分子を原料とする紙状シートであってプラスチックフィルムや表面加工したプラスチックフィルムで作った不織布などである合成紙でも可能である。本実施例においては、回転シート３は、表面側表示シート２、裏面側表示シート４より厚みがあるＰＥＴのプラスチック板である。回転シート３は、不要となったＣＤやＤＶＤをリサイクルして利用してもよい。本実施例では、回転シート３の厚みは１．０ｍｍで、表面側表示シート２、裏面側表示シート４の厚みは０．５ｍｍで、マグネット芯部５の厚みは回転シート３より厚く１．２ｍｍであるが、マグネット芯部５の厚みの方が回転シート３の厚みより厚ければ、これに限定されない。
【００２２】
なお、本実施例では、マグネット芯部５と、表面側表示シート２及び裏面側表示シート４とは接着剤で接着して固着してある。したがって、各部品を引っ張ってもはがれにくく、丈夫である。なお、マグネット芯部５と表面側表示シート２と裏面側表示シート４の材質の組み合わせによっては両面テープによる固着でもよい。
【００２３】
本実施例は、会社で個人用スチール机に貼る伝言表示板で例示しているが、表示部３４に記載することは上述した例に限らず、家庭用の冷蔵庫に貼って使用するものであれば、例えば、表面側表示シート２の表面側に「ママ」と書いてあって、回転シート３の表面側の表示部３４には、母親の行先や戻り時刻が書いてあって、回転シート３を回転させることにより、任意の表示部３４が選択できるものであって、裏面側表示シート４の裏面側に子供の名前が書いてあって、回転シート３の裏面側の表示部３４には、子供の行先や戻り時刻が書いてあって、回転シート３を回転させることにより、任意の表示部３４が選択できるものであってもよい。母親がでかけるときには表面側が、子供がでかけるときには裏面側が、見えるようにして、行先等を選択して表示させて冷蔵庫等に張り付けることができる。本実施例では、回転シート３の表面側を８分割、裏面側を６分割して表示部３４を設けたが、分割する数はこれに限らない。
【００２４】
本実施例によれば、操作が極めて容易で両面使用できる。本実施例によれば、片面に８つ程度１２ポイント程度で表示させる表示部を設ける場合でも、全体でＣＤやＤＶＤ程度の大きさ（直径１２ｃｍ程度）に収めることができる。本実施例によれば、冷蔵庫やスチール棚等に貼ったままで片手の手指で回転シートを回転させるだけでよいので、操作が容易で、コンパクトで、磁石がくっつくところであれば場所を選ばず貼り付けることができる。
【００２５】
なお、本考案は、上記実施の形態に限定されず、その考案の趣旨を逸脱しない範囲で種々と変形実施が可能である。
【符号の説明】
【００２６】
１      伝言表示板
２      表面側表示シート
２５    表面側窓部
３      回転シート
３３    芯用穴部
３４    表示部
４      裏面側表示シート
４５    裏面側窓部
５      マグネット芯部
【図１】
0003180188.tif 000003
【図２】
0003180188.tif 000004
【図３】
0003180188.tif 000005
【図４】
0003180188.tif 000006
【図５】
0003180188.tif 000007
【図６】
0003180188.tif 000008
【図７】
0003180188.tif 000009
【図８】
0003180188.tif 000010
【図９】
0003180188.tif 000011